(57)【特許請求の範囲】
【請求項１】
ディスク状の記録媒体本体がケーシング内に収納され、該ケーシングに形成された窓を扉が摺動変位して開放することによって前記窓を介して記録媒体本体の記録および再生が可能となるように形成された記録媒体を、前記扉が搬送方向下流側に位置するように前記記録および再生のための装填位置へ搬送するローディング装置において、
前記装填位置において、該装填位置への記録媒体の搬送方向下流側で前記扉に対向して設けられ、前記扉に掛合することができる爪を有するレバーと、
前記記録媒体の装填位置よりも搬送方向下流側に設けられ、前記レバーを前記扉方向に突出または後退する方向に案内する第１案内部と、突出したレバーを前記搬送方向に対して略垂直な扉の開閉方向に案内する第２案内部とを有する連続した案内溝が形成される案内手段と、
記録媒体が前記装填位置に搬送された状態にあるとき、前記レバーを案内手段の案内溝に沿って変位駆動する駆動手段とを含むことを特徴とする記録媒体のローディング装置。
【請求項２】
前記駆動手段は、前記装填位置よりも搬送方向下流側に設けられ、一対の駆動ローラと従動ローラとの間に伸縮自在の索条が巻掛けられ、この索条の一点が前記レバーに固定されて構成されることを特徴とする請求項１記載の記録媒体のローディング装置。
【発明の詳細な説明】
【０００１】
【産業上の利用分野】
本発明は、ミニディスクなどの、記録媒体本体がケーシングに収納された記録媒体の記録または再生が可能な電子機器のローディング装置に関する。
【０００２】
【従来の技術】
コンパクトディスク（以下、「ＣＤ」と称す）の再生が可能な電子機器において、複数のＣＤを収納することができる収納部を備え、該収納部に収納されたＣＤを自由に選択して再生することができるいわゆるオートチェンジャ機能付きの電子機器が用いられている。
【０００３】
図６は先行技術である前述のオートチェンジャ機能を備えたミニディスク（以下、「ＭＤ」と称す）の再生および記録を行うことができる電子機器１を説明するための天板を外した状態での平面図であり、図７はその切断面線Ｂ−Ｂから見た断面図である。電子機器１は、大略的に、筺体２、昇降部３および収納部４を備えて構成され、筺体２は挿入口６を備える前面板７を含んで構成される。
【０００４】
昇降部３は、昇降台８および昇降脚９を備えて構成される。昇降台８には、図示しない駆動装置によって作動し、図７の上下方向に対向する一対のローラ１０およびローラ１１が備えられる。ローラ１０は挿入口６を介してＭＤ４１の挿入または排出が行われる際に作動し、ローラ１１は収納部４への挿入または排出時に作動する。
【０００５】
昇降台８から延設された台１３には、収納部４に対してＭＤ４１の挿排を行う挿排装置１４が設けられる。挿排装置１４は、ローラ１５、ギア１６，１７、モータ１８、ローラホルダ１９および巻ばね２３を備えて構成される。ローラホルダ１９はピン２０を中心に揺動可能に設けられ、巻ばね２３によって収納部４に近接する方向に付勢されており、ＭＤ４１の挿排が行われるときは、ローラ１５はばね付勢によって収納部４に設けられた開口１２を通ってＭＤ４１の側部５０と圧着し、ＭＤ４１を挿入または排出する。ＭＤ４１の挿排が行われないときは、ローラホルダ１９は図示しない装置によって巻ばね２３の弾発力に抗して収納部４とは離反する方向に後退させられている。
【０００６】
昇降脚９は図示しない駆動装置によって変位駆動され、所望の収納部４へ昇降台８を案内する。
【０００７】
収納部４は、４つの収納室２８から構成される。収納部４の下方には、ＭＤ４１を記録／再生装置５へ装填するホルダ２４が設けられ、図示しない昇降装置によって、クランピングプレート２６がターンテーブル２５に吸着されるようにＭＤ４１を記録および再生位置へ案内する。
【０００８】
また前記ホルダ２４には、ＭＤ４１の扉３３側に対向して、側壁３０に押圧片３１、および山形に形成された板ばね３２が突設され、この押圧片３１および板ばね３２によって、ローラ１１，１５による昇降台８からホルダ２４へのＭＤ４１への挿排時に、その扉３３が開閉される。
【０００９】
以上のような構成の電子機器１において、ＭＤ４１の扉３３の開閉動作を以下に説明する。図８および図９は、ＭＤ４１の扉の開閉動作を説明するための斜視図および平面図である。ＭＤ４１は、筺体４２、ディスク本体２７および扉３３を備えて構成される。筺体４２は、案内凹部４３、案内溝４４および窓６１を備え、案内凹部４３は扉３３が摺動可能な範囲を与え、窓６１は筺体４２の裏面にも設けられる。
【００１０】
扉３３は、平坦な板部４５、案内片４６，４７および係止片４８を備えて形成される。平坦な板部４５は、窓６１を覆うことができる大きさで、かつ筺体４２を表裏両面から挟込むように取付けられ、窓６１の開放および閉鎖を行う。案内片４６，４７は、扉３３の摺動方向とは交差する方向への扉のずれを防止し、係止片４８は、扉３３の不所望な摺動変位を抑止する。また、表裏両面の板部４５を連結し、案内溝４４を覆う連結部６２には、係合孔４９が設けられる。
【００１１】
案内溝４４は、筺体４２内に設けられた係止レバー５１の一部が突出する透孔５２を備える。係止レバー５１は、第１片５４および第２片５５を有し、軸５３を中心に屈曲している。第１片５４には第１案内斜面５６および第２案内斜面５７が設けられ、第１案内斜面５６と第２案内斜面５７との間には、係止凹部５８が設けられる。
【００１２】
前記係止レバー５１は、第１片５４および第２片５５が互いに離反する方向に弾発力を生じるように筺体４２内に設けられる。第２片５５は、筺体４２内に設けられた支持片５９と圧接し、これによって第１案内斜面５６、第２案内斜面５７および係止凹部５８は透孔５２から突出しており、突出方向に弾発的に付勢される。前記係止片４８が係止凹部５８に嵌り込むことによって、扉３３が固定される。
【００１３】
ＭＤ４１がホルダ２４に挿入されると、図９（１）に示すように、押圧片３１が案内溝４４に入り込む。ＭＤ４１がローラ１１，１５によって搬送されてゆくと、押圧片３１は第１案内斜面５６を押圧し、ＭＤ４１の挿入方向に平行な押圧力は、第１案内斜面５６によって挿入方向とは略垂直な力に変換される。これによって、第１片５４は、突出方向の弾発力に抗して後退し、係止片４８から係止凹部５８が離反して扉３３は摺動自在となる。このとき、板ばね３２が係合孔４９に嵌り込み、ＭＤ４１の搬送に伴って、図９（２）に示すように扉３３は窓６１を開放し、ディスク本体２７の記録および再生が可能となる。
【００１４】
ＭＤ４１がホルダ２４から排出されるときは、係合孔４９に嵌り込んだ板ばね３２によって、扉３３が、ＭＤ４１の排出方向への搬送に伴って窓６１を閉鎖してゆく。
【００１５】
【発明が解決しようとする課題】
以上のような構成の電子機器１では、ＭＤ４１の挿排動作に伴って扉３３が開閉されるようになっており、記録および再生位置へのＭＤ４１の搬送方向と扉３３の開閉方向とに制約が生じる。たとえば、図６および図７において記録／再生装置５が昇降台８に一体で設けられた場合、または、記録／再生装置と収納部とがＭＤ４１の扉３３の開閉方向とは交差する方向に並んで設けられた場合、収納部から取出したＭＤ４１の扉３３を開放することができない。
【００１６】
このように、ＭＤ４１を記録／再生装置５へ任意の方向から装填することができないので、収納部と記録／再生装置との配置に制約が生じてしまう。
【００１７】
本発明の目的は、記録媒体の扉の開閉方向とは無関係に、記録媒体を任意の方向から記録／再生位置へ装填することができる記録媒体のローディング装置を提供することである。
【００１８】
【課題を解決するための手段】
本発明は、ディスク状の記録媒体本体がケーシング内に収納され、該ケーシングに形成された窓を扉が摺動変位して開放することによって前記窓を介して記録媒体本体の記録および再生が可能となるように形成された記録媒体を、前記扉が搬送方向下流側に位置するように前記記録および再生のための装填位置へ搬送するローディング装置において、
前記装填位置において、該装填位置への記録媒体の搬送方向下流側で前記扉に対向して設けられ、前記扉に掛合することができる爪を有するレバーと、
前記記録媒体の装填位置よりも搬送方向下流側に設けられ、前記レバーを前記扉方向に突出または後退する方向に案内する第１案内部と、突出したレバーを前記搬送方向に対して略垂直な扉の開閉方向に案内する第２案内部とを有する連続した案内溝が形成される案内手段と、
記録媒体が前記装填位置に搬送された状態にあるとき、前記レバーを案内手段の案内溝に沿って変位駆動する駆動手段とを含むことを特徴とする記録媒体のローディング装置である。
また本発明は、前記駆動手段は、前記装填位置よりも搬送方向下流側に設けられ、一対の駆動ローラと従動ローラとの間に伸縮自在の索条が巻掛けられ、この索条の一点が前記レバーに固定されて構成されることを特徴とする。
【００１９】
【作用】
本発明に従えば、ディスク状の記録媒体本体がケーシングに収納され、該ケーシングに形成された窓を扉が摺動変位して開放することによって、前記窓を介して記録媒体の記録および再生が可能となるように形成されたミニディスクなどの記録媒体を、記録および再生が行われる装填位置へ搬送するローディング装置において、前記装填位置には、該装填位置への記録媒体の搬送方向下流側で前記扉に対向してレバーが設けられる。前記レバーには爪が設けられており、この爪が扉と掛合し、駆動手段による案内手段に沿ったレバーの変位駆動によって扉が開閉する。
【００２０】
すなわち、前記装填位置に装填された前記記録媒体の扉を開放する場合、駆動手段によって変位駆動される前記レバーは、先ず前記案内手段の第１案内部によって前記扉方向に突出し、次に第２案内部によって前記搬送方向に対して略垂直な扉の開放方向に案内される。前記レバーが案内手段の第１案内部から第２案内部に案内される過程において、前記爪が扉に掛合し、レバーの変位駆動とともに扉が摺動変位する。したがって窓は開放され、記録媒体の記録および再生が可能となる。
【００２１】
扉を閉鎖するときは、前記駆動手段によって変位駆動されるレバーが、第２案内部によって扉の閉鎖方向に案内され、さらに第１案内部によって前記扉方向から後退させられる。
【００２２】
したがって、記録媒体の装填位置への搬送方向と扉の開放方向とは無関係に設定することができ、設計の自由度を拡げることができる。また、レバーは、記録媒体の装填以前には後退位置に待機しているので、記録媒体の装填時に、レバーの爪が記録媒体に引掛かることはなく、円滑なローディング動作を実現することができる。
【００２３】
好ましくは、前記駆動手段は、一対の駆動ローラと従動ローラとの間に伸縮自在の索条が巻掛けられ、この索条の一点が前記レバーに固定されて構成される。
【００２４】
したがって、歯車などの駆動部材の変位を必要とせず、レバーの変位だけで扉を開閉できるので、簡便な構成で実現することができる。
【００２５】
【実施例】
図１は本発明の一実施例の電子機器７１を説明するための天板を外した状態での平面図であり、図２はその切断面線Ａ−Ａから見た断面図である。電子機器７１は、大略的に、筺体７２、昇降部７３および収納部７４を備えて構成される。筺体７２は挿入口７６を備える前面板７７を含んで構成され、収納部７４はＭＤ４１を収納する４つの収納室７５を備えて構成される。
【００２６】
昇降部７３は、案内室９４、記録／再生装置１１６および昇降脚７９を備えて構成され、昇降脚７９は、図示しない駆動装置によって変位駆動され、所望の収納室７５へ案内室９４を案内する。
【００２７】
案内室９４は、挿入口７６から挿入されたＭＤ４１を収納室７５へ搬送、または、収納室７５から排出されたＭＤ４１を挿入口７６から排出する際の一時的な取込室であり、該案内室９４は、ＭＤ４１の記録および再生が行われる場合、図示しない昇降装置によって、ＭＤ４１のクランピングプレート２６がターンテーブル９５に吸着されるように、ＭＤ４１を再生および記録位置へ案内する。
【００２８】
また、前記案内室９４には、図示しない駆動装置によって駆動され、それぞれ上下一対のローラ８０および８１が備えられる。ローラ８０は挿入口７６を通してＭＤ４１の挿入または排出が行われるときに駆動され、ローラ８１は収納部７４への挿入または排出時に駆動される。前記案内室９４の支持台９８から延設された台８３には、収納部７４に対してＭＤ４１の挿排を行う挿排装置８４が設けられる。
【００２９】
挿排装置８４は、ローラ８５、ギア８６，８７、モータ８８、ローラホルダ８９および巻ばね９３を備えて構成される。ローラホルダ８９はピン９０を中心に揺動可能に設けられ、巻ばね９３によってローラ８５が収納部７４に近接する方向に弾発的に付勢されており、ＭＤ４１の挿排が行われるときは、ローラ８５は、ばね付勢によって、収納部７４に設けられた開口８２を通ってＭＤ４１の側部６０と圧着し、ＭＤ４１を挿入または排出する。ＭＤ４１の挿排が行われないときは、ローラホルダ８９は、図示しない装置によって巻ばね９３の弾発力に抗して収納部７４とは離反する方向に後退させられている。
【００３０】
昇降部７３の上板１２０には、ＭＤ４１の扉３３の開閉装置１００が設けられる。開閉装置１００は、レバー１０１、ベルト１０６、プーリ１０８，１０９およびモータ１１１から構成される。レバー１０１は、横片１２１および立片１２２を有し、この２片によって軸直角断面がＬ字形を形成している。
【００３１】
図３の分解斜視図に示すように、横片１２１に設けられたピン孔１２３，１２４にフランジ１２５ａ，１２６ａをそれぞれ有する凸形のピン１２５，１２６が、上板１２０に形成された案内溝１０４，１０５をそれぞれ挿通した後、嵌着される。また、案内溝１０４，１０５は、第１案内溝１０４ａ，１０５ａおよび第２案内溝１０４ｂ，１０５ｂから形成される。
【００３２】
横片１２１の両端部には、支持片１１２および１１３が立設されており、該支持片１１２にはベルト１０６の一端が、支持片１１３にはばね１０７を介してベルト１０６の他端が取付けられる。該ベルト１０６は、プーリ１０８および１０９に巻掛けられており、プーリ１０８にはギア１１０を介してモータ１１１が作用する。立片１２２の一端には押圧片１０２が立設されており、他端には山形に形成された爪である板ばね１０３が突設されている。
【００３３】
以上のような構成の電子機器７１における扉の開閉動作を以下に説明する。図４および図５は、開閉装置１００によるＭＤ４１の扉３３の開閉動作を説明するための斜視図および平面図である。ＭＤ４１は、筺体４２、ディスク本体２７および扉３３を備えて構成される。筺体４２は、案内凹部４３、案内溝４４および窓６１を備え、案内凹部４３は扉３３が摺動可能な範囲を与え、窓６１は筺体４２の裏面にも設けられる。
【００３４】
扉３３は、平坦な板部４５、案内片４６，４７および係止片４８を備えて形成される。平坦な板部４５は、窓６１を覆うことができる大きさで、かつ筺体４２を表裏両面から挟込むように取付けられ、窓６１の開放および閉鎖を行う。案内片４６，４７は、窓３３の摺動方向とは交差する方向への扉のずれを防止し、係止片４８は、扉３３の不所望な摺動変位を抑止する。また、表裏両面の板部４５を連結し、案内溝４４を覆う連結部６２には、係合孔４９が設けられる。
【００３５】
案内溝４４は、筺体４２内に設けられた係止レバー５１の一部が突出する透孔５２を備える。係止レバー５１は、第１片５４および第２片５５を有し、軸５３を中心に屈曲している。第１片５４には、第１案内斜面５６および第２案内斜面５７が設けられ、第１案内斜面５６と第２案内斜面５７との間には、係止凹部５８が設けられる。
【００３６】
前記係止レバー５１は、第１片５４および第２片５５が互いに離反する方向に弾発力を生じるように筺体４２内に設けられる。第２片５５は、筺体４２内に設けられた支持片５９と圧接し、これによって第１案内斜面５６、第２案内斜面５７および係止凹部５８は透孔５２から突出しており、突出方向に弾発的に付勢される。前記係止片４８が、扉３３の閉鎖時には、第１案内斜面５６に案内されて係止凹部５８に嵌り込むことによって、扉３３が固定される。
【００３７】
ＭＤ４１が記録／再生装置１１６に装填されると、図示しないスイッチによって検出されてモータ１１１が作動する。該モータ１１１の作動によってギア１１０を介して駆動プーリ１０９が作動し、ベルト１０６が扉３３を開放する方向に巻かれる。これによって、レバー１０１は第１案内溝１０４ａ，１０５ａに沿って突出方向に案内される。このとき、押圧片１０２は、案内溝４４に入り込む。
【００３８】
第１案内溝１０４ａ，１０５ａに沿った変位が終了すると、レバー１０１は第２案内溝１０４ｂ，１０５ｂに沿って扉３３の開放方向に案内される。このとき、図５（１）に示すように、押圧片１０２は、第１案内斜面５６を押圧し、扉３３の開閉方向に平行な押圧力は、第１案内斜面５６によって、略垂直方向の力に変換される。これによって、第１片５４は突出方向の弾発力に抗して後退させられ、係止片４８から係止凹部５８が離反し、扉３３は摺動自在となる。このとき、板ばね１０３は係合孔４９に嵌り込み、図５（２）に示すように、レバー１０１の変位駆動に伴って該扉３３は窓６１を開放し、ディスク本体２７の再生および記録が可能となる。
【００３９】
ＭＤ４１の記録／再生が終了すると、ベルト１０６が扉３３を閉鎖する方向に巻かれ、レバー１０１は第２案内溝１０４ｂ，１０５ｂによって扉３３の閉鎖方向に案内される。このとき、係合孔４９に嵌合した板ばね１０３によって、扉３３は窓６１を閉鎖する方向に摺動する。この過程において、係止片４８は、第２案内斜面５６を押圧し、第１片５４を後退させ、該係止片４８は係止凹部５８に嵌り込み、扉３３を固定する。第２案内溝１０４ｂ，１０５ｂに沿った変位が終了したレバー１０１は、第１案内溝１０４ａ，１０５ａによって後退位置に案内される。
【００４０】
以上のような構成によって、ＭＤ４１を挿入口７６と収納部７４との多方向から記録／再生装置１１６に装填した場合でも、ＭＤ４１の扉３３を開閉することができる。したがって、収納部７４と記録／再生装置１１６と挿入口７６とを任意に配置することができ、設計の自由度を拡げることができる。また、ＭＤ４１の装填されていない状態ではレバー１０１は後退しているので、ＭＤ４１を円滑にローディングすることができる。
【００４１】
さらにまた、レバー１０１を突出とその突出方向とは略垂直方向に変位駆動するにあたって、プーリ１０８，１０９間に、ばね１０７によって全長が伸縮するようにしたベルト１０６を巻掛け、前記伸縮によって、異なる２方向へのレバー１０１の変位に追従して、駆動力を伝達可能とするので、たとえば歯車を用いた場合における該歯車を変位するための構成は不要となり、簡便な構成で開閉動作を実現することができる。
【００４２】
【発明の効果】
以上のように本発明によれば、ディスク状の記録媒体本体がケーシングに収納されたミニディスクなどの記録媒体の記録および再生を行う装填位置には、駆動手段によって変位駆動されるレバーが設けられ、該レバーが案内手段の第１案内部および第２案内部によってそれぞれ記録媒体に設けられた扉に対して突出／後退方向および扉の開閉方向に案内され、この過程においてレバーに設けられた爪が扉に掛合して扉を開閉するので、記録媒体の装填位置への搬送方向と、扉の開閉方向とは無関係に設定することができ、搬送開始位置と装填位置とを任意に設定することができ、設計の自由度を拡げることができる。また、前記レバーは、記録媒体の装填以前には後退位置に待機しているので、記録媒体の装填時にレバーの爪が記録媒体に引掛かることはなく、円滑なローディング動作を実現することができる。
【００４３】
好ましくは、前記駆動手段は、一対の駆動ローラと従動ローラとの間に伸縮自在の索条が巻掛けられ、この索条の一点が前記レバーに固定されて構成されるので、歯車などの駆動部材の変位を必要とせず、レバーの変位だけで扉を開閉することができ、簡便な構成で実現することができる。
【図面の簡単な説明】
【図１】本発明の一実施例の電子機器７１を説明するための天板を外した状態での平面図である。
【図２】図１の切断面線Ａ−Ａから見た断面図である。
【図３】開閉装置１００を説明するための部分分解斜視図である。
【図４】前記開閉装置１００による扉３３の開閉動作を説明するための斜視図である。
【図５】前記開閉動作を説明するための平面図である。
【図６】先行技術である電子機器１を説明するための天板を外した状態での平面図である。
【図７】図６の切断面線Ｂ−Ｂから見た断面図である。
【図８】前記電子機器１によるＭＤ４１の扉３３の開閉動作を説明するための斜視図である。
【図９】電子機器１によるＭＤ４１の扉３３の開閉動作を説明するための平面図である。
【符号の説明】
４１  ＭＤ
４２  筺体
４４  案内溝
４８  係止片
４９  係合孔
５１  係止レバー
５６  第１案内斜面
５７  第２案内斜面
５８  係止凹部
６１  窓
７１  電子機器
７３  昇降部
７４  収納部
８４  挿排装置
９４  案内室
１００  開閉装置
１０１  レバー
１０２  押圧片
１０３  板ばね
１０４，１０５  案内溝
１０４ａ，１０５ａ  第１案内溝
１０４ｂ，１０５ｂ  第２案内溝
１０６  ベルト
１０７  ばね
１０８，１０９  プーリ
１１１  モータ
１１６  記録／再生装置
【図１】
0003587560.tif 000002
【図２】
0003587560.tif 000003
【図３】
0003587560.tif 000004
【図４】
0003587560.tif 000005
【図５】
0003587560.tif 000006
【図６】
0003587560.tif 000007
【図７】
0003587560.tif 000008
【図８】
0003587560.tif 000009
【図９】
0003587560.tif 000010